(57)【特許請求の範囲】
【請求項１】
粘着テープをロール状に巻いた粘着テープ巻体（１）に取着した保持輪（22）を回転可能に枢支する基台（２）を有するテープカッターに於て、
上記粘着テープ巻体（１）から前方へ引き出される粘着テープ（１ａ）を切断可能な刃体（３）と、複数の紙片（４ａ）を積み重ねた紙片集合体（４）を保持可能な紙片カセット（５）と、該紙片カセット（５）を上方に弾発付勢する第１弾性部材（６）を有し該紙片カセット（５）を交換自在に収納した昇降カセット（７）と、上記刃体（３）を上方に弾発付勢する第２弾性部材（９）と、上記刃体（３）と上記昇降カセット（７）を連動させる側面視Ｖ字状の連動部材（８）と、上記刃体（３）の下降を規制するロック部材（11）とを、上記基台（２）に備え、
上記紙片カセット（５）は、収納した上記紙片集合体（４）の上層部を水平状に押し出す誘導勾配面（５ａ）を有すると共に前後方向に向きを換えて上記基台（２）に入れ換え自在に設けられ、
上記刃体（３）を昇降可能に設けると共に、該刃体（３）の後方に上記昇降カセット（７）を昇降可能に設け、上記連動部材（８）を上記刃体（３）と上記昇降カセット（７）が上下逆方向に昇降運動するように設けて、
上記粘着テープ（１ａ）を上記刃体（３）で切断する際の下向きの力によって上記刃体（３）を降下させ、上記連動部材（８）をシーソー状に揺動させて、上記昇降カセット（７）を押し上げ、最上位置の上記紙片（４ａ）を上記粘着テープ（１ａ）に貼着するように構成し、
上記紙片カセット（５）の正面を前方に向けて配設した状態では、上記誘導勾配面（５ａ）により最上位置の上記紙片（４ａ）を上記刃体（３）に接近させるように押し出し、
上記紙片カセット（５）の正面を後方に向けて配設した状態では、上記誘導勾配面（５ａ）により最上位置の上記紙片（４ａ）を上記刃体（３）から離れるように後方へ押し出し、
上記ロック部材（11）で上記刃体（３）の下降を規制した状態では、上記昇降カセット（７）を上昇させず、最上位置の上記紙片（４ａ）を上記粘着テープ（１ａ）に貼着しないように構成したことを特徴とするテープカッター。
【請求項２】
粘着テープをロール状に巻いた粘着テープ巻体（１）に取着する保持輪（22）と、該保持輪（22）を回転可能に枢支する既設の基台（20）とを、有する既設のテープカッター（19）に、取着可能なケーシング（13）を有し、上記粘着テープ巻体（１）から前方へ引き出される粘着テープ（１ａ）を切断可能な刃体（３）と、複数の紙片（４ａ）を積み重ねた紙片集合体（４）を保持可能な紙片カセット（５）と、該紙片カセット（５）を上方に弾発付勢する第１弾性部材（６）を有し該紙片カセット（５）を交換自在に収納した昇降カセット（７）と、上記刃体（３）を上方に弾発付勢する第２弾性部材（９）と、上記刃体（３）と上記昇降カセット（７）を連動させる側面視Ｖ字状の連動部材（８）と、上記刃体（３）の下降を規制するロック部材（11）とを、上記ケーシング（13）に備え、
上記紙片カセット（５）は、収納した上記紙片集合体（４）の上層部を水平状に押し出す誘導勾配面（５ａ）を有すると共に前後方向に向きを換えて上記ケーシング（13）に入れ換え自在に設けられ、
上記刃体（３）を昇降可能に上記ケーシング（13）に設けると共に、該刃体（３）の後方に上記昇降カセット（７）を昇降可能に上記ケーシング（13）に設け、上記連動部材（８）を上記刃体（３）と上記昇降カセット（７）が上下逆方向に昇降運動するように上記ケーシング（13）に設けて、
上記既設のテープカッター（19）に上記ケーシング（13）を取着して、上記粘着テープ（１ａ）を上記刃体（３）で切断する際の下向きの力によって上記刃体（３）を降下させ、上記連動部材（８）をシーソー状に揺動させて、上記昇降カセット（７）を押し上げ、最上位置の上記紙片（４ａ）を上記粘着テープ（１ａ）に貼着するように構成し、
上記紙片カセット（５）の正面を前方に向けて配設した状態では、上記誘導勾配面（５ａ）により最上位置の上記紙片（４ａ）を上記刃体（３）に接近させるように押し出し、
上記紙片カセット（５）の正面を後方に向けて配設した状態では、上記誘導勾配面（５ａ）により最上位置の上記紙片（４ａ）を上記刃体（３）から離れるように後方へ押し出し、
上記ロック部材（11）で上記刃体（３）の下降を規制した状態では、上記昇降カセット（７）を上昇させず、最上位置の上記紙片（４ａ）を上記粘着テープ（１ａ）に貼着しないように構成したことを特徴とするテープカッター。
【請求項３】
上記刃体（３）は、該刃体（３）の先端（３ａ）の左右両側から上方に突出して、上記紙片カセット（５）の正面を前方に向けて配設した状態で、最上位置の上記紙片（４ａ）が上記刃体（３）よりも前方へ移動するのを規制する起立片（３ｂ）（３ｂ）を有する請求項１又は２記載のテープカッター。
【請求項４】
上記紙片カセット（５）の正面を後方に向けて配設した状態で、最上位置の上記紙片（４ａ）の後方への移動を規制する後方ストッパー部（50）を、上記紙片カセット（５）よりも後方に有する請求項１，２又は３記載のテープカッター。
【発明の詳細な説明】
【技術分野】
【０００１】
本発明は、テープカッターに関する。
【背景技術】
【０００２】
従来のテープカッターは、粘着テープをロール状に巻いた粘着テープ巻体に保持輪を取着し、回転自在に基台に枢支したもので、基台に枢支された粘着テープ巻体から粘着テープを引き出して、基台に設けた固定刃で切断して、粘着テープを被貼着部材（梱包部材）に貼着していた。また、仮梱包又は仮止めする際（例えば、工場等で製品に組み込まれる中間部品等を、組立作業迄の合間に、仮にビニール袋等で梱包する際）に粘着テープを使用することがあった。
しかし、仮梱包又は仮止めした粘着テープを剥離する際に粘着テープの粘着面の全面が貼着しているので、剥離が困難であった。さらに、透明な部材に透明な粘着テープを貼着した場合では、どの箇所に貼着しているかわからず、また、剥離開始部（粘着テープの端部）を探すのが困難であった。
そこで、テープカッターで切断した粘着テープの端部の粘着面を内側にして折曲げて貼着して被粘着面を形成する方法や、切断した粘着テープに剥離用の紙片を貼着して剥離用の非粘着面を形成する方法を用いて、仮梱包又は仮止め作業をおこなっていた。
また、特許文献１に記載のような、粘着テープを切断する際に紙片を貼着可能に構成したテープカッターを使用していた。しかし、粘着テープに紙片を貼着する際に粘着テープを紙片へ押し当てる手間や紙片の供給に手間がかかるという欠点があった。
【特許文献１】特開２０００−２３３８６５号公報
【発明の開示】
【発明が解決しようとする課題】
【０００３】
解決しようとする課題は、従来のテープカッターでは、粘着テープを仮梱包又は仮止めに使用する際に、粘着テープに剥離用の非粘着面を形成するのに手間がかかる点である。
【０００４】
そこで、本発明は、粘着テープに剥離用の紙片を安全かつ容易に貼着可能とし、紙片の供給・交換や粘着テープへの紙片の貼着位置を迅速に変更できるテープカッターの提供を目的とする。
【課題を解決するための手段】
【０００５】
そこで、上記目的を達成させるために、本発明に係るテープカッターは、粘着テープをロール状に巻いた粘着テープ巻体に取着した保持輪を回転可能に枢支する基台を有するテープカッターに於て、上記粘着テープ巻体から前方へ引き出される粘着テープを切断可能な刃体と、複数の紙片を積み重ねた紙片集合体を保持可能な紙片カセットと、該紙片カセットを上方に弾発付勢する第１弾性部材を有し該紙片カセットを交換自在に収納した昇降カセットと、上記刃体を上方に弾発付勢する第２弾性部材と、上記刃体と上記昇降カセットを連動させる側面視Ｖ字状の連動部材と、上記刃体の下降を規制するロック部材とを、上記基台に備え、上記紙片カセットは、収納した上記紙片集合体の上層部を水平状に押し出す誘導勾配面を有すると共に前後方向に向きを換えて上記基台に入れ換え自在に設けられ、上記刃体を昇降可能に設けると共に、該刃体の後方に上記昇降カセットを昇降可能に設け、上記連動部材を上記刃体と上記昇降カセットが上下逆方向に昇降運動するように設けて、上記粘着テープを上記刃体で切断する際の下向きの力によって上記刃体を降下させ、上記連動部材をシーソー状に揺動させて、上記昇降カセットを押し上げ、最上位置の上記紙片を上記粘着テープに貼着するように構成し、上記紙片カセットの正面を前方に向けて配設した状態では、上記誘導勾配面により最上位置の上記紙片を上記刃体に接近させるように押し出し、上記紙片カセットの正面を後方に向けて配設した状態では、上記誘導勾配面により最上位置の上記紙片を上記刃体から離れるように後方へ押し出し、上記ロック部材で上記刃体の下降を規制した状態では、上記昇降カセットを上昇させず、最上位置の上記紙片を上記粘着テープに貼着しないように構成したものである。
【０００６】
また、粘着テープをロール状に巻いた粘着テープ巻体に取着する保持輪と、該保持輪を回転可能に枢支する既設の基台とを、有する既設のテープカッターに、取着可能なケーシングを有し、上記粘着テープ巻体から前方へ引き出される粘着テープを切断可能な刃体と、複数の紙片を積み重ねた紙片集合体を保持可能な紙片カセットと、該紙片カセットを上方に弾発付勢する第１弾性部材を有し該紙片カセットを交換自在に収納した昇降カセットと、上記刃体を上方に弾発付勢する第２弾性部材と、上記刃体と上記昇降カセットを連動させる側面視Ｖ字状の連動部材と、上記刃体の下降を規制するロック部材とを、上記ケーシングに備え、上記紙片カセットは、収納した上記紙片集合体の上層部を水平状に押し出す誘導勾配面を有すると共に前後方向に向きを換えて上記ケーシングに入れ換え自在に設けられ、上記刃体を昇降可能に上記ケーシングに設けると共に、該刃体の後方に上記昇降カセットを昇降可能に上記ケーシングに設け、上記連動部材を上記刃体と上記昇降カセットが上下逆方向に昇降運動するように上記ケーシングに設けて、上記既設のテープカッターに上記ケーシングを取着して、上記粘着テープを上記刃体で切断する際の下向きの力によって上記刃体を降下させ、上記連動部材をシーソー状に揺動させて、上記昇降カセットを押し上げ、最上位置の上記紙片を上記粘着テープに貼着するように構成し、上記紙片カセットの正面を前方に向けて配設した状態では、上記誘導勾配面により最上位置の上記紙片を上記刃体に接近させるように押し出し、上記紙片カセットの正面を後方に向けて配設した状態では、上記誘導勾配面により最上位置の上記紙片を上記刃体から離れるように後方へ押し出し、上記ロック部材で上記刃体の下降を規制した状態では、上記昇降カセットを上昇させず、最上位置の上記紙片を上記粘着テープに貼着しないように構成したものである。
【０００７】
また、上記刃体は、該刃体の先端の左右両側から上方に突出して、上記紙片カセットの正面を前方に向けて配設した状態で、最上位置の上記紙片が上記刃体よりも前方へ移動するのを規制する起立片を有するものである。
【０００８】
また、上記紙片カセットの正面を後方に向けて配設した状態で、最上位置の上記紙片の後方への移動を規制する後方ストッパー部を、上記紙片カセットよりも後方に有するものである。
【発明の効果】
【０００９】
本発明のテープカッターによれば、粘着テープに剥離用の紙片を（自動的に）貼着できる。また、刃体と昇降カセットが、上下逆方向に昇降するように設けているので、刃体で粘着テープを切断すると共に粘着テープに容易に紙片を貼着できる。また、刃体が昇降可能なので、刃体に手を突いた際に刃体が降下して、怪我を防止でき安全である。また、刃体の降下を規制するロック部材を有するので、粘着テープに紙片を貼着させないで切断することができる。また、紙片カセットに前方誘導面を形成しているので、刃体に紙片の前方端縁を接近させて粘着テープの前方切断縁に紙片を貼着できる。また、紙片カセットを前後方向に入れ換え自在なので、粘着テープの前方切断縁から紙片の前方端縁を離して粘着テープに貼着することができる。また、紙片カセットを設けているので、紙片の供給や交換が容易にできる。
【発明を実施するための最良の形態】
【００１０】
以下、実施の形態を示す図面に基づき本発明を詳説する。
図１は本発明のテープカッターの第１の実施の形態を示す要部断面側面図であり、図２はその要部断面正面図（図１のＡーＡ断面図）である。
図１及び図２に於て、１は、粘着テープをロール状に巻いた既存の粘着テープ巻体である。２は、粘着テープ巻体１に取着した既存の保持輪22を回転可能に枢支する基台である。基台２は、粘着テープ１ａの引出し方向に柱部25を有している。柱部25は、内部の下方（基台２の設置面Ｇの方向）に四角形状の空間30を形成し、空間30の第１上面30ａから上方へ四角形状のカセット孔31を貫設すると共に、カセット孔31から粘着テープ１ａの引出し方向よりも前方に板状のスライド溝32を第１上面30ａに形成し、さらに、スライド溝32の第２上面32ａから板状の刃溝33を上方に貫設している。また、空間30の底部34は図示省略のねじ部材にて着脱自在に設けている。
【００１１】
また、３は、粘着テープ巻体１から前方へ引き出した粘着テープ１ａを切断可能な刃体であって、スライド溝32に挿入可能な板状のスライド部材15の上端に固着している。スライド部材15は、下端に略水平状に第１突出部15ａを有し、さらに、第１突出部15ａの下面から第２突出部15ｂを下方突出状に有している。そして、刃体３と一体状のスライド部材15を下方からスライド溝32に挿入させると共に、刃体３を刃溝33に挿通させている。そして、空間30に設けた第２弾性部材９にてスライド部材15を上方に弾発付勢させている。この際、第１突出部15ａの上面に緩衝部材14を固着して、緩衝部材14が空間30の第１上面30ａに当接するようにしている。また、刃溝33から突出した刃体３の左右に刃体３の先端３ａよりも高く突出させた突出壁24，24を柱部25から形成している。
【００１２】
また、11はロック部材であって、柱部25の前面25ａから空間30の前方壁30ｂにストッパー部11ａが突出するよう挿通させ、ロック部材11のストッパー部11ａが、上方に弾発付勢されるスライド部材15の第２突出部15ｂと底部34の間への入り込みが自由となるように左右スライド自在に設けている。
また、８はＶ字状の連動部材であって、底部34に枢着し、Ｖ字の一方の端部８ａをスライド部材15の第２突出部15ｂに当接するように配設すると共に、柱部25の上方からカセット孔31を通じて空間30まで挿通された箱状の昇降カセット７の下端が当接するように他方の端部８ｂを配設している。また、ロック部材11をスライドさせ、第２突出部15ｂの下方に入り込んでも、連動部材８の一方の端部８ａと、ロック部材11のストッパー部11ａは干渉しないように配置されている。
【００１３】
また、箱状の昇降カセット７は、引き出される粘着テープ１ａの左右幅よりも、幅が広く形成した紙片４ａを積み重ねた紙片集合体４を収納可能な上下方向に開口した角筒状の紙片カセット５を収納している。
ここで、紙片集合体４と、紙片カセット５と、昇降カセット７とを、図４と図５及び図６を用いて説明する。
なお、本発明に於て、紙片４ａ、紙片集合体４、紙片カセット５等と呼ぶ「紙片」とは、通常の各種の紙から成る片の他に、プラスチックフィルムから成る片（特に透明のものも好ましい）や、金属箔や金属薄板から成る片をも、包含するものと定義する。
図４は、紙片集合体４の実施の一例であって、（ａ）は正面図であり、（ｂ）は断面側面図である。紙片集合体４は、紙片カセット５へ収納する前に、紙片４ａがバラバラにならないように帯体17にて包装し、紙片集合体４を形成している。
また、図５は、紙片カセット５の実施の一例であって、（ａ）は正面図であり、（ｂ）は断面側面図であり、（ｃ）は平面図である。紙片カセット５は、側壁面５ｂの内側上端に突出して紙片４ａの上方への抜けを規制する第１当り部５ｄを有し、昇降カセット７に前後方向入れ換え自在に形成している。さらに、紙片カセット５の背面５ｃは、紙片集合体４を上方に近づくにつれて前方へ突出可能とする誘導勾配面５ａを有している。また、図５（ｃ）に示すように、第１当り部５ｄは、内側方向に突出した平面視円弧舌片状に形成している。つまり、最上位置の紙片４ａが引き出される粘着テープ１ａに貼着されて紙片カセット５から上方へスムーズに離間するように形成している。また、円弧舌片状の第１当り部５ｄは、最凸部が最上位置の紙片４ａの前後方向幅の中心近傍を押さえるように形成している（言い換えると、円弧舌片状の第１当り部５ｄの中心点は、最上位置の紙片４ａの前後方向幅の中心線の延長線状位置となるように形成していると言える）。また、引き出される粘着テープ１ａが紙片カセット５に貼着するのを防止するために、紙片カセット５の背面壁の上端面は、後方下傾の逃がし傾斜面５ｆを形成している。
また、図６は紙片カセット５に収納された紙片集合体４を収納した昇降カセット７の実施の一例であって、（ａ）は正面断面図であり、（ｂ）は側面断面図である。昇降カセット７は上部が開口した箱状に形成され、内部の中間部に内鍔部７ａを有すると共に、側壁７ｂの内側上端に突設して紙片カセット５の上方への抜けを規制する第２当り部７ｄを有している。そして、第２当り部７ｄと内鍔部７ａの間隙に紙片カセット５を収納可能に正面壁７ｃに収納開口部７ｅを形成している。また、昇降カセット７の内底に弾性部材６を配設して紙片カセット５に収納した紙片集合体４を押し出し可能な押し部材16を上方へ弾発付勢している。
【００１４】
次に第２の実施の形態を図３に示す。
図３に於て、19は既設のテープカッターであって、既存の粘着テープ巻体１に既存の保持輪22を取着している。そして、粘着テープ巻体１から前方へ引き出した粘着テープ１ａを切断可能な刃部21を有する既設の基台20に保持輪22に取着された粘着テープ巻体１を回転自在に枢支している。
また、13は既設のテープカッター19に取着可能なケーシングであって、ケーシングの背面13ｂに突出して設けた取着部位26の下面に開口部下方にした金属製のコの字部材27を介して磁石部材10を固着している。つまり、既設のテープカッター19の刃部21に磁石部材10を取着することで、ケーシング13を既設のテープカッター19の刃部21よりもテープ引出し方向の前方に着脱自在に取着可能としている。また、ケーシング13は、上述した第１の実施の形態の柱部25と同様に、空間30と、カセット孔31と、スライド溝32と、刃溝33とを、形成すると共に、空間30の底部34は図示省略のねじ部材にて着脱自在に設けている。
また、ケーシングの背面13ｂの下方に粘着性の吸着部材29を固着した揺動部材28を枢着している。つまり、既設のテープカッター19にケーシング13を取着した際に、吸着部材29を既設の基台20の前面20ａの傾斜に沿って当接可能に設けている。
【００１５】
また、第１の実施の形態と同様の、刃体３と、スライド部材15と、第２弾性部材９と、緩衝部材14とを、有すると共に、第１の実施の形態と同様に刃体３を緩衝部材14が固着されたスライド部材15と一体状に固着して第２弾性部材９にて上方に常時弾発付勢している。また、刃溝33から突出した刃体３の左右に刃体３の先端３ａよりも高く突出させた突出壁24，24をケーシング13から形成している。
そして、ロック部材11をケーシング13の前面13ａから第１の実施の形態と同様に設けている。
さらに、第１の実施の形態と同様の、紙片集合体４と、紙片カセット５と、昇降カセット７を有すると共に、第１の実施の形態と同様にＶ字状の連動部材８を底部34に枢着して配設している。
【００１６】
次に第３の実施の形態を図18〜図25を用いて説明する。
図18は、前方へ引き出される粘着テープ１ａを切断する際の要部断面正面図であり、図19は、その平面図である。また、図20は、図19のＹ−Ｙ要部断面図であり、図21は、図19のＺ−Ｚ要部断面図である。
刃体３の先端３ａ（つまり、刃先の切断部）よりも上方へ突出した起立片３ｂ，３ｂを左右両側に形成している。そして、この両側の起立片３ｂ，３ｂの間隔寸法Ｗｂ（刃体３の切断部の左右幅寸法Ｗｂ）を、紙片４ａの左右方向幅寸法Ｗａよりも小さく設定している。起立片３ｂ，３ｂは、紙片カセット５の誘導勾配面５ａによって、最上位置の紙片４ａが、前方に移動する際に、先端３ａへ乗り上げるのを防止する（前方への移動を規制する）ものである。つまり、切断の際に、起立片３ｂ，３ｂは最上位置の紙片４ａの前方端縁４ｃの左右両側に当接するものである。
【００１７】
ここで、図22は、図19の紙片カセット５を前後方向入れ換えた際の平面図である。図23はその要部背面図である。また、図24は、図22のＴ−Ｔ要部断面図であり、図25は、図22のＵ−Ｕ要部断面図である。
さらに、紙片カセット５を前後方向入れ換えた際に、誘導勾配面５ａによって後方（刃体３から離間する方向）へ移動する最上位置の紙片４ａの移動を規制する上方突出壁状の後方ストッパー部50，50を、昇降カセット７が収納されるカセット孔31の後方近傍（紙片カセット５を収納した昇降カセット７の後方近傍）に有している。
後方ストッパー部50は、引き出される粘着テープ１ａを切断する際に、紙片４ａの後方端縁４ｄの左右両側が当接するように設けている。この左右両側の後方ストッパー部50，50の左右間隔寸法Ｗｃは、紙片４ａの左右方向幅寸法Ｗａより小さく設定している。このストッパー部50の紙片４ａとの当接面は、カセット孔31の後方側内壁と同一平面状に形成している。つまり、カセット孔31の後方内壁面に沿うように（後方内壁面の一部を延伸したような）突出壁状に形成している。また、第１の実施の形態と同様の構成の際は、後方ストッパー部50は、基台２に設ける。また、第２の実施の形態と同様の構成の際は、後方ストッパー部50は、ケーシング13に設ける。
【００１８】
なお、本発明は、設計変更可能であって、例えば、図示省略するが、帯体17に包装されたままの紙片集合体４を紙片カセット５に挿入し、紙片カセット５の開口上面または開口下面から帯体17を引くことで、紙片集合体４がバラバラになることなく容易に紙片カセット５に収納可能となるよう形成しても良い。また、図示省略するが、紙片カセット５と紙片４ａを帯体にて一体状に包装して交換用部品とするも良い。また、紙片４ａの形状は外殻縁が多角形や曲線のものでも良い。（マークやキャラクターとしても良い。）また、第１弾性部材６を複数設けるも自由である。また、第２弾性部材９を複数設けるも自由である。また、昇降カセット７は前後方向に入れ換え自在な形状とするのが望ましい。
【００１９】
上述した本発明のテープカッターの使用方法（作用）について説明する。
粘着テープを仮梱包や仮止めの必要な作業に使用する際では、第１の実施の形態のテープカッターに紙片４ａの装填をおこなう。まず、紙片集合体４を挿入した紙片カセット５を、昇降カセット７の開口部７ｅから挿入させ収納する。この際、紙片カセット５の背面５ｃを昇降カセット７の内側となるように収納する。そして、昇降カセット７を、紙片４ａが押し出されている方をテープ引出し方向である前方に向けて、カセット孔31に挿通させて、装填完了となる。
この際、第１弾性部材６にて上方に弾発付勢される押し部材16が、紙片カセット５に収納された紙片集合体４を下方から押し上げる。ここで、紙片集合体４は紙片カセット５の第１当り部５ｄに当接すると共に、上層部が誘導勾配面５ａによって、前方に押し出される。また、第１弾性部材６の上方へ押す力によって、紙片カセット５の上端が昇降カセット７の第２当り部７ｄに当接して、紙片カセット５が保持される。また、昇降カセットをカセット孔31に挿入した際は、紙片４ａは前方に押し出されているので、刃体３に接近している。
【００２０】
次に、粘着テープ１ａを切断する。ここで、粘着テープ１ａを切断する際の説明図を図７と図８及び図12に示す。図７は側面断面説明図であり、図８は正面断面説明図（図７のＢ−Ｂ断面説明図）であり、図12は要部拡大断面図である。
まず、粘着テープ巻体１から粘着テープ１ａを引出し刃体３に当接させて、粘着テープ１ａを切断する為に下方に引く。すると、図示のように、刃体３は第２弾性部材９にて上方に弾発付勢されていたが、切断による下向きの力によって、刃体３は降下し、スライド部材15の第２突出部15ｂが連動部材８の一方の端部８ａを下方に押し下げ、連動部材８は枢着点を支点として、シーソーのように他方の端部８ｂが起き上がり、昇降カセット７を上方へ押し上げる。そして、紙片カセット５に収納された紙片集合体４の最上位置の紙片４ａが粘着テープ１ａの粘着面に押し当たる。
【００２１】
次に、より強く粘着テープ１ａを下方に引くと、粘着テープ１ａは切断され、下方への力は刃体３にかからず、刃体３は、第２弾性部材にて再び上方に押し上げられると共に、連動部材８の一方の端部８ａが起き上がり、他方の端部８ｂは倒れ、昇降カセット７が自重で降下する。また、紙片集合体４は常時、押し部材16によって押し上げられると共に、上層部が前方に押し出された状態となっている。この際、刃体３に貼着している粘着テープ巻体１側の粘着テープ１ａの先端には、紙片４ａが１枚貼着された状態になっている。この状態を図９に要部拡大断面図として示す。つまり、粘着テープ１ａは紙片集合体４の最上位置の紙片４ａをすでに貼着した状態で切断を待機している状態となる。
【００２２】
さらに、すでに紙片４ａが貼着した粘着テープ１ａを持って、粘着テープ巻体１から引き出して、刃体３にて切断する。すると、上述した作用が繰り返され、紙片４ａがすでに貼着した切断待機状態の粘着テープ 1ａができると共に、手元には、紙片４ａにて非粘着面が形成された粘着テープ、つまり、図14に示すような第１仮止め用粘着テープ35ができる。このとき、手元の第１仮止め用粘着テープ35は、上述したように、刃体３に紙片４ａが接近して貼着しているので、粘着テープ１ａの前方切断縁１ｃに紙片４ａの前方端縁４ｃが略一致している。また、図15に第１仮止め用粘着テープ35を使用した仮止め方法の一例を示す。図15に於て、第１非仮止め部材18ａと第２非仮止め部材18ｂを第１仮止め用粘着テープ35を使用して仮止めした側面図である。つまり、第１・２非仮止め部材18ａ，18ｂを第１仮止め用粘着テープ35の粘着面で貼着している。ここで、第１仮止め用粘着テープ35の前方切断縁１ｃは紙片４ａが貼着しているので、第１非仮止め部材18ａに貼着していない。
【００２３】
また、紙片カセット５の背面５ｃを昇降カセット７の開口部７ｅに露出するように収納した場合（つまり、上述した紙片カセット５の収納とは前後逆向きに昇降カセット７に収納した場合）での、粘着テープを切断する状態を図13に要部拡大断面図として示す。つまり、紙片集合体４の上層部は誘導勾配面５ａによって刃体３から離れる方向に押し出され、刃体先端３ａと紙片４ａとが小寸法Ｌ離れる。そして、上述したように、非粘着面が形成された粘着テープをつくると、図16に示すような粘着テープ１ａの前方切断縁１ｃから小寸法Ｌだけ離れた位置に紙片４ａが貼着された第２仮止め用粘着テープ36ができあがる。また、図17に第２仮止め用粘着テープ36にて第１非仮止め部材18ａと第２非仮止め部材18ｂを仮止めした側面図を示す。図17に於て、第１非仮止め部材18ａと第２非仮止め部材18ｂを第２仮止め用粘着テープ36を使用して仮止めした側面図である。つまり、第１・２非仮止め部材18ａ，18ｂを第２仮止め用粘着テープ36の粘着面で貼着している。ここで、第２仮止め用粘着テープ36の前方切断縁１ｃは、紙片４ａが貼着していないので、第１非仮止め部材18ａに貼着している。
【００２４】
また、ロック部材11の作用を図10と図11を用いて説明する。図10は刃体３のロック解除状態を示す正面説明図であり、図11はロック状態を示す正面説明図である。
ロック部材11のストッパー部11ａが第２突出部15ｂの下端にない場合（図10の場合）では、上述したように刃体３が昇降可能で、紙片４ａを粘着テープ１ａに貼着する。そして図11に於て、ロック部材11をスライドさせ、ストッパー部11ａを第２突出部１５ｂの下端に移動させた場合（図11の場合）では、刃体３を降下させようとしても、スライド部材15の第２突出部15ｂがストッパー部11ａに当接して、刃体３は降下しない。
つまり、このロック状態で粘着テープ１ａを切断すると、スライド部材15が降下しないので昇降カセット７が上昇せずに、粘着テープ１ａに紙片４ａが貼着されない通常の粘着テープができあがる。
【００２５】
また、第２の実施の形態では、ケーシング13を既設のテープカッター19の刃部21に磁石部材10を介して取着して、第１の実施の形態と同様に使用すると、同様の作用がおこり、第１仮止め用粘着テープ35や、第２仮止め用粘着テープ36、又は、通常に使用できる粘着テープをつくる。
【００２６】
次に、第３の実施の形態では、第１の実施の形態と同様の作用により第１仮止め用粘着テープ35や、第２仮止め用粘着テープ36、又は、通常に使用できる粘着テープをつくれる。
そして、第１仮止め用粘着テープ35をつくる際、つまり、紙片４ａが前方に移動されるように紙片カセット５を配設した（図19のような）際に、（図20に示すように）最上位置の紙片４ａの中央部は、引き出されるテープ１ａに貼着されると共に、（図21に示すように）最上位置の紙片４ａの前方端縁４ｃの左右両側は、刃体３の左右両側の起立片３ｂ，３ｂに当接し、紙片４ａが刃体３の先端３ａ（切断部）へ乗り上げたり、前方へ過剰に移動するのが規制される。つまり、最上位置の紙片４ａは、起立片３ｂ，３ｂにより所定の位置に保持されながら引き出されたテープ１ａに貼着される。
【００２７】
また、第２仮止め用粘着テープ36をつくる際、つまり、紙片４ａが後方に移動されるように紙片カセット５を配設した（図22のような）際に、（図24に示すように）最上位置の紙片４ａの中央部は、引き出されるテープ１ａに貼着されると共に、（図25に示すように）後方端縁４ｄの左右両側は、後方ストッパー部50，50に当接し、後方へ過剰に移動するのを規制される。つまり、最上位置の紙片４ａは、所定の小寸法Ｌを形成して、引き出されたテープ１ａに貼着される。
ところで、紙片４ａとしては、通常の紙の片の他に、プラスチックフィルム等を含むものと定義したが、特に、透明のプラスチックフィルムから成る片の場合には、ポスター，絵葉書き，写真等を（粘着テープ１ａにて）他の物体に貼着したとき、紙片４ａが目立たず、美感が損なわれないという利点がある。
【００２８】
以上のように、本発明は、粘着テープをロール状に巻いた粘着テープ巻体１に取着した保持輪22を回転可能に枢支する基台２を有するテープカッターに於て、粘着テープ巻体１から前方へ引き出される粘着テープ１ａを切断可能な刃体３と、複数の紙片４ａを積み重ねた紙片集合体４を保持可能な紙片カセット５と、該紙片カセット５を上方に弾発付勢する第１弾性部材６を有し該紙片カセット５を交換自在に収納した昇降カセット７と、刃体３を上方に弾発付勢する第２弾性部材９と、刃体３と昇降カセット７を連動させる連動部材８とを、基台２に備え、刃体３を昇降可能に設けると共に、刃体３の後方に昇降カセット７を昇降可能に設け、連動部材８を刃体３と昇降カセット７が上下逆方向に昇降運動するように設けて、最上位置の紙片４ａを粘着テープ１ａに貼着するように構成しているので、粘着テープ１ａに紙片４ａが貼着して、非粘着面を形成した粘着テープが容易につくれる。また、刃体３にかかる切断力を利用して、昇降カセット７を上昇させ、粘着テープ１ａの切断と同時に紙片４ａを貼着できるので、非粘着面を形成した粘着テープを片手で迅速かつ容易につくれる。また、刃体３に手や指が押し付けられることがあっても、刃体３が降下するので、手や指を傷つけることなく安全に作業ができる。さらに、上述したように、刃体３の左右に突出壁24を形成すれば、手や指が刃体３に直接触れるのを防げてより安全性が向上する。また、昇降カセット７は、基台２（の柱部25）から着脱自在なので、紙片カセット５を容易に取り出せ、紙片集合体４を容易に充填・補充できる。さらに、昇降カセット７と紙片カセット５が着脱自在なので、紙片集合体４の充填・補充が容易にできる。
【００２９】
また、粘着テープをロール状に巻いた粘着テープ巻体１に取着する保持輪22と、保持輪22を回転可能に枢支する既設の基台20とを、有する既設のテープカッター19に、取着可能なケーシング13を有し、粘着テープ巻体１から前方へ引き出される粘着テープ１ａを切断可能な刃体３と、複数の紙片４ａを積み重ねた紙片集合体４を保持可能な紙片カセット５と、紙片カセット５を上方に弾発付勢する第１弾性部材６を有し紙片カセット５を交換自在に収納した昇降カセット７と、刃体３を上方に弾発付勢する第２弾性部材９と、刃体３と昇降カセット７を連動させる連動部材８とを、ケーシング13に備え、刃体３を昇降可能にケーシング13に設けると共に、刃体３の後方に昇降カセット７を昇降可能にケーシング13に設け、連動部材８を刃体３と昇降カセット７が上下逆方向に昇降運動するように設けて、既設のテープカッター19に取着して最上位置の紙片４ａを粘着テープ１ａに貼着するように構成しているので、粘着テープ１ａに紙片４ａが貼着して、非粘着面を形成した粘着テープが容易につくれる。また、刃体３にかかる切断力を利用して、昇降カセット７を上昇させ、粘着テープ１ａの切断と同時に紙片４ａを貼着できるので、非粘着面を形成した粘着テープを片手で迅速かつ容易につくれる。また、刃体３に手や指が押し付けられることがあっても、刃体３が降下するので、手や指を傷つけることなく安全に作業ができる。さらに、上述したように、刃体３の左右に突出壁24を形成すれば、手や指が刃体３に直接触れるのを防げてより安全性が向上する。また、昇降カセット７は、ケーシング13から着脱自在なので、紙片カセット５を容易に取り出せ、紙片集合体４を容易に充填・補充できる。さらに、昇降カセット７と紙片カセット５が着脱自在なので、紙片集合体４の充填・補充が容易にできる。さらに、ケーシング13は、既設のテープカッター19に取着可能なので、既設のテープカッター19を利用できる。
【００３０】
また、刃体３の下降を規制するロック部材11を有しているので、紙片４ａを粘着テープ１ａに貼着せずに粘着テープ１ａを切断できる。つまり、通常の使用と、非粘着面を形成する粘着テープを必要とする使用とに、使い分けることができる。
【００３１】
また、紙片カセット５は、収納した紙片集合体４の上層部を刃体３のある前方向にスライドさせる誘導勾配面５ａを有しているので、粘着テープ１ａの前方切断縁１ｃに紙片４ａの前方端縁４ｃが略一致している第１仮止め用粘着テープ35をつくることができる。つまり、仮止め後の剥離作業が容易な粘着テープをつくることができる。
【００３２】
また、紙片カセット５は、前後方向に入れ換え自在として昇降カセット７に収納するようにしているので、粘着テープ１ａの前方切断縁１ｃから小寸法Ｌ離れた位置に紙片４ａが貼着された第２仮止め用粘着テープ36をつくることができる。つまり紙片４ａの前方端縁４ｃは紙片４ａが貼着していないので、第１非仮止め部材18ａに貼着でき、仮止め後の第１・２非仮止め部材18ａ，18ｂを輸送する際に不容易に剥離しない粘着テープをつくることができる。また、紙片カセット５の前後を入れ換えて昇降カセット７に収納するだけで、粘着テープ１ａへの紙片４ａの貼着位置を容易かつ迅速に変更できる。
【００３３】
また、刃体３は、刃体３の先端３ａの左右両側から上方に突出して、最上位置の紙片４ａが刃体３よりも前方へ移動するのを規制する起立片３ｂ，３ｂを有するので、最上位置の紙片４ａが、刃体３の先端３ａ（つまり、切断部）に乗り上がるのを防止して、引き出される粘着テープ１ａを容易に切断できる。また、最上位置の紙片４ａが常に所定位置となって、粘着テープ１ａの前方切断縁１ｃに紙片４ａの前方端縁４ｃが略一致している第１仮止め用粘着テープ35を確実かつ安定してつくることができる。
【００３４】
また、誘導勾配面５ａによって最上位置の紙片４ａが後方側に移動するように紙片カセット５を配設した際に、紙片４ａの後方への移動を規制する後方ストッパー部50を、紙片カセット５よりも後方に有するので、最上位置の紙片４ａが、刃体３から過剰に離間するのを防止できる。つまり、粘着テープ１ａの前方切断縁１ｃから小寸法Ｌの長さ離れた位置に紙片４ａが貼着された第２仮止め用粘着テープ36を確実かつ安定してつくることができる。また、昇降カセット７を前後方向入れ換えて、最上位置の紙片４ａを、刃体３から離れるように配設した（セットした）際であっても、粘着テープ１ａの前方切断縁１ｃから小寸法Ｌ手前の位置に紙片４ａが貼着された第２仮止め用粘着テープ36を確実かつ安定してつくることができる。また、紙片４ａが後方へ脱落するのを防止できる。
【図面の簡単な説明】
【００３５】
【図１】本発明に係る第１の実施の形態を示す一部断面側面図である。
【図２】本発明に係る第１の実施の形態を示す要部断面正面図である。
【図３】本発明に係る第２の実施の形態を示す一部断面側面図である。
【図４】紙片集合体の一例を示す図であり、（ａ）は正面図であり、（ｂ）は側面図である。
【図５】紙片カセットの一例を示す図であり、（ａ）は正面図であり、（ｂ）は側面図である。（ｃ）は平面図である。
【図６】昇降カセットの一例を示す図であり、（ａ）は正面断面図であり、（ｂ）は側面断面図である。
【図７】作用説明側面断面図である。
【図８】作用説明要部断面図である。
【図９】作用説明要部拡大断面図である。
【図１０】ロック部材の使用状態を示す作用説明図である。
【図１１】ロック部材の使用状態を示す作用説明図である。
【図１２】作用説明要部拡大断面図である。
【図１３】作用説明要部拡大断面図である。
【図１４】第１仮止め用粘着テープの一例を示す平面図である。
【図１５】紙片が貼着した粘着テープの使用状態の一例を示す側面図である。
【図１６】第２仮止め用粘着テープの一例を示す平面図である。
【図１７】紙片が貼着した粘着テープの使用状態の一例を示す側面図である。
【図１８】本発明に係る第３の実施の形態を示す一部断面正面図である。
【図１９】本発明に係る第３の実施の形態を示す要部平面図である。
【図２０】作用説明要部拡大断面図である。
【図２１】作用説明要部拡大断面図である。
【図２２】本発明に係る第３の実施の形態を示す要部平面図である。
【図２３】本発明に係る第３の実施の形態を示す要部背面図である。
【図２４】作用説明要部拡大断面図である。
【図２５】作用説明要部拡大断面図である。
【符号の説明】
【００３６】
１  粘着テープ巻体
１ａ  引き出される粘着テープ
２  基台
３  刃体
３ａ  先端
３ｂ  起立片
４  紙片集合体
４ａ  紙片
５  紙片カセット
５ａ  誘導勾配面
６  第１弾性部材
７  昇降カセット
８  連動部材
９  第２弾性部材
11  ロック部材
13  ケーシング
19  既設のテープカッター
20  既設の基台
22  保持輪
50  後方ストッパー部
【図１】
0004713564.tif 000002
【図２】
0004713564.tif 000003
【図３】
0004713564.tif 000004
【図４】
0004713564.tif 000005
【図５】
0004713564.tif 000006
【図６】
0004713564.tif 000007
【図７】
0004713564.tif 000008
【図８】
0004713564.tif 000009
【図９】
0004713564.tif 000010
【図１０】
0004713564.tif 000011
【図１１】
0004713564.tif 000012
【図１２】
0004713564.tif 000013
【図１３】
0004713564.tif 000014
【図１４】
0004713564.tif 000015
【図１５】
0004713564.tif 000016
【図１６】
0004713564.tif 000017
【図１７】
0004713564.tif 000018
【図１８】
0004713564.tif 000019
【図１９】
0004713564.tif 000020
【図２０】
0004713564.tif 000021
【図２１】
0004713564.tif 000022
【図２２】
0004713564.tif 000023
【図２３】
0004713564.tif 000024
【図２４】
0004713564.tif 000025
【図２５】
0004713564.tif 000026